(57)【要約】【課題】片手だけを使ってロールペーパから所定長さのペーパを簡単に切り離せるペーパホルダ及びホルダタッチメントを提供する。【解決手段】ロールペーパを回転自在に支持するペーパホルダにおいて、正逆転駆動される回転部材と、この回転部材の正転動作によりロールペーパをその先端が繰り出される方向に回転させる繰り出し手段と、回転部材の逆転動作により前記繰り出し手段で繰り出されたペーパを切断する切断手段とを設ける。これによって、回転部材を正逆転動作させることにより、ロールペーパの繰り出しと繰り出されたペーパの切断を片手で行うことができる。【選択図】　　　　図１
2004016533.tif 000002
【特許請求の範囲】
【請求項１】
ロールペーパを回転自在に支持するペーパホルダにおいて、
正逆転駆動される回転部材と、
この回転部材の正転動作によりロールペーパをその先端が繰り出される方向に回転させる繰り出し手段と、
前記回転部材の逆転動作により前記繰り出し手段で繰り出されたペーパを切断する切断手段とを備えたことを特徴とするペーパホルダ。
【請求項２】
前記回転部材の逆転動作によるロールペーパの逆回転を阻止する逆転防止手段を設けたことを特徴とする請求項１記載のペーパホルダ。
【請求項３】
ホルダ本体にロールペーパを回転自在に支持するペーパホルダに取り付けられるホルダアタッチメントにおいて、
正逆転駆動される回転部材と、
この回転部材の正転動作によりロールペーパをその先端が繰り出される方向に回転させる繰り出し手段と、
前記回転部材の逆転動作により前記繰り出し手段で繰り出されたペーパを切断する切断手段とを備え、前記ホルダ本体に取り付けられることを特徴とするホルダアタッチメント。
【請求項４】
ホルダ本体に設けられた支持部材により回転自在に支持されたロールペーパから引き出されたペーパを、前記ホルダ本体に回動自在に設けられたホルダカバーの先端縁で切断するペーパホルダにおいて、
前記ホルダカバーを切断位置に保持するストッパと、
前記支持部材に取り付けられる取り付け部材と、
この取り付け部材に取り付けられ正逆転駆動される操作レバーと、
前記ロールペーパに結合され、前記操作レバーの正転動作によりロールペーパをそのペーパ先端が繰り出される方向に回転させる繰り出し手段と、
前記操作レバーの逆転動作により前記繰り出し手段で繰り出されたペーパを前記ホルダカバーの先端縁で切断する切断レバーとを備えたことを特徴とするペーパホルダ。
【請求項５】
ホルダ本体に設けられた支持部材により回転自在に支持されたロールペーパから引き出されたペーパを、前記ホルダ本体に回動自在に設けられたホルダカバーの先端縁で切断するペーパホルダに装着されるホルダアタッチメントにおいて、
前記ホルダカバーを切断位置に保持するストッパと、
前記支持部材に取り付けられる取り付け部材と、
この取り付け部材に取り付けられ正逆転駆動される操作レバーと、
前記ロールペーパに結合され、前記操作レバーの正転動作によりロールペーパをそのペーパ先端が繰り出される方向に回転させる繰り出し手段と、
前記操作レバーの逆転動作により前記繰り出し手段で繰り出されたペーパを前記ホルダカバーの先端縁で切断する切断レバーとを備えたことを特徴とするホルダアタッチメント。
【発明の詳細な説明】
【０００１】
【発明の属する技術分野】
この発明は、トイレットペーパなどのロールペーパから所定長さのペーパを片手操作で切断できるペーパホルダ及びホルダアタッチメントに関する。
【０００２】
【従来の技術】
図１９のように一般に広く普及しているトイレットペーパホルダ１００は、心棒１０１にロールペーパ１０２を回転自在に支持させ、このロールペーパ１０２の回転によって繰り出されるペーパ１０５を軸１０３によって回動自在に支持されたホルダカバー１０４で切断することにより、ペーパ１０５が使用される。このようなトイレットペーパホルダ１００では、ロールペーパ１０２の装着は、ホルダ本体１０６の左右の側板１０７に設けられた穴１０８から心棒１０１を取り外して、この心棒１０１をロールペーパ１０２の心管１０９に差し込んだ後、ロールペーパ１０２ごと左右の側板１０７に取り付けることによってなされる。
【０００３】
そして、このロールペーパ１０２から所定長さのペーパ１０５を使おうとする場合は、ペーパ１０５を所定長さまで引き出した後、片方の手でホルダカバー１０４を押えつつ他方の手でペーパ１０５を持ち上げることにより、ホルダカバー１０４の先端縁でペーパ１０５を切断するようにしている。
【０００４】
【発明が解決しようとする課題】
しかし、このような何気ない動作も両手を使わないとできなかった。すなわち、片手が不自由になると極めて困難な作業になってしまう。ホルダカバー１０４を押えずに、他方の手でペーパ１０５を持ち上げると、ホルダカバー１０４の押えがきかないためにロールペーパ１０２が空回りして、ペーパ１０５を切断するどころかペーパ１０５が次々と引き出されてしまう不具合を露呈した。怪我などで片手が不自由な患者のみならず、医療現場、老人施設などでは片手だけしか使えないケースも多く、従来のペーパホルダ１００ではこうした悩みに十分応えられなかった。
【０００５】
この発明は上記問題点を解決するもので、片手だけを使ってロールペーパから所定長さのペーパを簡単に切り離せるペーパホルダ及びホルダタッチメントを提供することを目的とする。
【０００６】
【課題を解決するための手段】
上記目的を達成するためにこの発明では、ロールペーパを回転自在に支持するペーパホルダにおいて、正逆転駆動される回転部材と、この回転部材の正転動作によりロールペーパをその先端が繰り出される方向に回転させる繰り出し手段と、回転部材の逆転動作により前記繰り出し手段で繰り出されたペーパを切断する切断手段とを設けている。これによって、回転部材を正逆転動作させることにより、ロールペーパの繰り出しと繰り出されたペーパの切断を片手で行うことができる。
【０００７】
また、ホルダ本体にロールペーパを回転自在に支持するペーパホルダに取り付けられるホルダタッチメントとしても構成できる。すなわち、正逆転駆動される回転部材と、この回転部材の正転動作によりロールペーパをその先端が繰り出される方向に回転させる繰り出し手段と、回転部材の逆転動作により前記繰り出し手段で繰り出されたペーパを切断する切断手段とを、ホルダ本体に取り付けることにより、片手操作のできないペーパホルダであってもホルダタッチメントを取り付けることにより、片手操作が可能となる。
【０００８】
さらにこのホルダアタッチメントとしては、ホルダ本体に設けられた支持部材により回転自在に支持されたロールペーパから引き出されたペーパを、ホルダ本体に回動自在に設けられたホルダカバーの先端縁で切断するペーパホルダに適用する場合、ホルダカバーを切断位置に保持するストッパと、支持部材に取り付けられる取り付け部材と、この取り付け部材に取り付けられ正逆転駆動される操作レバーと、前記ロールペーパに結合され、前記操作レバーの正転動作によりロールペーパをそのペーパ先端が繰り出される方向に回転させる繰り出し手段と、記操作レバーの逆転動作により前記繰り出し手段で繰り出されたペーパをホルダカバーの先端縁で切断する切断レバーとを設けても達成できる。
【０００９】
【発明の実施の形態】
以下、この発明の一実施例について図面を参照して説明する。
＜構成＞
この実施例では図１のように従来のペーパホルダ１００にホルダアタッチメント１０を取り付けることにより、片手だけを使ってペーパ１０５を繰り出し、このペーパ１０５を所定の長さで切断できるようにしている。
【００１０】
アタッチメント１０は図１〜図３に示すように操作部１１と、軸受部１２と、ストッパ１３とから構成されている。
【００１１】
操作部１１はロールペーパ１０２の一端を支持し、ペーパ１０５を繰り出したり、このペーパ１０５を切断するもので、図４及び図５のように取り付け部１５と、切断レバー１６と、操作レバー１７と、支持部１８とを備えている。
【００１２】
取り付け部１５は操作部１１を側板１０７に固定するためのもので、側板１０７に接触する固定部材２０と、心棒２１とが設けられている。固定部材２０にはバネ穴２２が設けられているとともに、端面に両面テープ２３が貼り付けられ、剥離シート２４で覆われている。
【００１３】
心棒２１は図９のように一端が側板１０７の穴１０８に挿入される。心棒２１の他端には図５のように径方向に進退自在なストッパ爪２５が複数設けられ、切断レバー１６、操作レバー１７を介して支持部１８に結合される。
【００１４】
切断レバー１６はこの発明の切断手段であり、繰り出されたペーパ１０５を切断するためのもので、図６のように心棒２１が挿入される穴２７ａを有するリング部２７と、アーム部２８と、切断部２９とから構成されている。リング部２７には係合突起３０が設けられている。そして、バネ３２の一端がアーム部２８に掛けられ、他端が固定部材２０のバネ穴２２に挿入される。
【００１５】
操作レバー１７はこの発明の回転部材であり、図７のように心棒２１が挿入される穴３３ａを有するリング部３３と、アーム部３４と、グリップ部３５とを備えている。
【００１６】
リング部３３には切断レバー１６のリング部２７を回動自在に支持する円筒部３６と、切断レバー１６の突起３０の移動範囲を規制する溝穴３７と、ギア３８とが設けられている。
【００１７】
支持部１８はこの発明の繰り出し手段であり、図８のように心棒２１が挿入される穴４１と、ギア３８と係合してギア３８の反転を防止するラッチ４１（逆転防止手段）と、心管１０９に嵌め込まれる係合部４３とを備えている、係合部４３には径方向に進退自在なストッパ爪４４が複数設けられ、係合部４３を心管１０９内に挿入した際に心管１０９との結合を確実にしている。
【００１８】
このように構成された取り付け部１５と、切断レバー１６と、操作レバー１７と、支持部１８とを結合すると、操作部１１は図９のようになる。
【００１９】
軸受部１２は心管１０９の他端側を支持するもので、図１０のように側板１０７の穴１０８に嵌め込まれる心棒５０と、蛇腹状の支持部５１とが設けられている。また、支持部５１の側板１０７側の端面には両面テープ５２が貼り付けられ、剥離シート５３で覆われている。
【００２０】
ストッパ１３は図２のようにホルダカバー１０４をペーパの切断位置に保持するためのもので、ホルダ本体１０６の背面板１１０に接着固定するために端面に両面テープが貼り付けられ、剥離シート６０で覆われている。
＜ホルダへの取り付け＞
アタッチメント１０の操作部１１は図４の剥離シート２４を剥がして、図９のように心棒２１を側板１０７の穴１０８に嵌めこむ。これにより、固定部材２０の端面が側板１０７に接触し、固定部材２０の両面テープ２３により固定部材２０と側板１０７とが固定される。
【００２１】
一方、軸受部１２は図１０のように剥離シート５３を剥がし、心棒５０を側板１０７の穴１０８に嵌めこむ。これにより、支持部５１の端面が側板１０７に接触し、支持部５１の両面テープ５２により支持部５１と側板１０７とが固定される。
【００２２】
さらに、ストッパ１３は図２のように剥離シート６０を剥がし、ホルダカバー１０４を切断位置に支持した状態で、ストッパ１３を背面板１１０に固定し、ホルダカバー１０４を切断位置に規制する。
＜動作＞
ペーパホルダ１００にアタッチメント１０が装着されると、ロールペーパ１０２の心管１０９の一端を支持部１８の係合部４３に嵌め込み、他端側は軸受部１２の蛇腹状の支持部５１を押さえながら押し込む。これにより図３のようにペーパホルダ１００にロールペーパ１０２が装着される。
【００２３】
このような状態において、図１１のようにグリップ３５を握って操作レバー１７を正回転（図において左回転）させるとギア３８がラッチ４２に係合するため、操作レバー１７の回動に伴って支持部１８も回動し、ロールペーパ１０２の先端のペーパ１０５が繰り出される。
【００２４】
ペーパ１０５が必要量繰り出された後、例えば図１２の位置から操作レバー１７を逆回転（図において右回転）させると、ギア３８を逆回転し、ギア３８がラッチ４２を押しのけ、空転する。このため、操作レバー１７を右回転させるとペーパ１０５は繰り出されなくなる。
【００２５】
一方、図１２のように溝穴３７は突起３０より幅広くなっているため、溝穴３７の端部３７Ａが突起３０に突き当たるまで、操作レバー１７の駆動力は切断レバー１６に伝達されない。したがって、操作レバー１７を小刻みに上方へ回動しても切断レバー１６は上昇しない。
【００２６】
図１３のように溝穴３７の端部３７Ａが突起３０に突き当たると切断レバー１６が上昇を開始し、図１４のように上昇し、図１５及び図１６のように切断部２９がペーパを押し上げていく。そして、図１７及び図１８のようにペーパがホルダカバー１０４の先端で規制された状態でさらに操作レバー１７を回動すると、切断部２９がペーパ１０７を押し切り切断する。そして、切断されたペーパ１０７を使用する。操作レバー１７を下方（左回り）に回転させると、バネ３２の付勢力により切断レバー１７の復帰動作を補助する。この際、ペーパ１０５は繰り出され次の使用まで待機する。
【００２７】
このように、片手だけを使ってロールペーパ１０２から所定長さのペーパ１０５を簡単に切り離せるホルダタッチメント１０を得ることができる。
＜変形例＞
この発明は前記実施例に限定されるものではなく、たとえば次のような変形も可能である。
（１）前記実施例では心棒１０１を使用してロールペーパ１０２を支持するペーパホルダ１００にアタッチメント１０を取り付けた場合について説明したが、ペーパホルダの構造にあわせて軸受部１２及び取り付け部１５の形状を変更すればよい。
（２）前記実施例では従来のペーパホルダ１００にアタッチメント１０を取り付けることにより、今まで使用しているペーパホルダ１００を片手で使用できるようにしたが、予めアタッチメント１０の構成部品を組み込んだ完成品としてのペーパホルダ１００としてもよい。
（３）前記実施例では回転部材を手動で駆動するようにしたが、モータで回転部材を駆動するようにしても良い。この場合には、正転ボタンと逆転ボタンを設け、片手で走査できるようにする。
【図面の簡単な説明】
【図１】この発明の一実施例におけるペーパホルダの使用状態を示す斜視図である。
【図２】アタッチメントを取り付ける前のペーパホルダの斜視図である。
【図３】ペーパホルダにロールペーパを装着した状態の一部切断した断面図である。
【図４】操作部の構造を示す斜視図である。
【図５】操作部の構造を示す正面図である。
【図６】切断レバーの構成を示す図である。
【図７】操作レバーの構成を示す図である。
【図８】支持部の構成を示す図である。
【図９】操作部をペーパホルダの側板に取り付ける状態を示す図である。
【図１０】軸受部をペーパホルダの側板に取り付ける状態を示す斜視図である。
【図１１】ペーパを繰り出す状態を示す図である。
【図１２】操作レバーを上昇させる前の状態を示す図である。
【図１３】操作レバーの回動力が切断レバーに伝達された状態の図である。
【図１４】ペーパを切断レバーで持ち上げた状態を示す図である。
【図１５】ペーパを切断レバーで持ち上げた状態を示す斜視図である。
【図１６】ペーパを切断レバーで持ち上げた状態を示す側面図である。
【図１７】ペーパを切断した状態を示す斜視図である。
【図１８】ペーパを切断した状態を示す側面図である。
【図１９】従来のペーパホルダの構成を示す斜視図。
【符号の説明】
１０　ホルダアタッチメント
１１　操作部
１２　軸受部
１３　ストッパ
１５　取り付け部
１６　切断レバー
１７　操作レバー
１８　支持部
１００　ペーパホルダ
１０２　ロールペーパ
【図１】
2004016533.tif 000003
【図２】
2004016533.tif 000004
【図３】
2004016533.tif 000005
【図４】
2004016533.tif 000006
【図５】
2004016533.tif 000007
【図６】
2004016533.tif 000008
【図７】
2004016533.tif 000009
【図８】
2004016533.tif 000010
【図９】
2004016533.tif 000011
【図１０】
2004016533.tif 000012
【図１１】
2004016533.tif 000013
【図１２】
2004016533.tif 000014
【図１３】
2004016533.tif 000015
【図１４】
2004016533.tif 000016
【図１５】
2004016533.tif 000017
【図１６】
2004016533.tif 000018
【図１７】
2004016533.tif 000019
【図１８】
2004016533.tif 000020
【図１９】
2004016533.tif 000021